(57)【要約】      （修正有）【課題】１台の撮像装置で、ダーモスコピー撮影と臨床撮影の一連の撮影を容易にできる撮像装置を提供する。【解決手段】撮像素子３１を有し、撮像素子３１に入射する光軸上の被写体を撮影する撮像装置１は、本体１０と、本体１０に光軸上位置と光軸外位置との間を移動可能に設けられ、第１画角を有する第１コンバージョンレンズ２１を含む第１レンズユニット２０と、第１コンバージョンレンズ２１と光軸上で干渉しないように、本体１０に光軸上位置と光軸外位置との間を移動可能に設けられ、第１画角とは異なる第２画角を有する第２コンバージョンレンズ６２を含む第２レンズユニット６０と、を備える。【選択図】図５
2019061140.tif 000002
【特許請求の範囲】
【請求項１】
撮像素子を有し、前記撮像素子に入射する光軸上の被写体を撮影する撮像装置であって、
本体と、
前記本体に前記光軸上位置と光軸外位置との間を移動可能に設けられ、第１画角を有する第１コンバージョンレンズを含む第１レンズユニットと、
前記第１コンバージョンレンズと前記光軸上で干渉しないように、前記本体に前記光軸上位置と光軸外位置との間を移動可能に設けられ、前記第１画角とは異なる第２画角を有する第２コンバージョンレンズを含む第２レンズユニットと、を備えることを特徴とする撮像装置。
【請求項２】
前記本体がマスターレンズを有することを特徴とする請求項１に記載の撮像装置。
【請求項３】
前記第１コンバージョンレンズは、前記マスターレンズと被写体の間に介在し、前記撮像素子による撮像画像の拡大倍率を増大させ、前記第２コンバージョンレンズは、前記第１コンバージョンレンズと排他的に前記マスターレンズと被写体の間に介在し、前記マスターレンズの拡大倍率を広角化させるよう構成されたことを特徴とする請求項２に記載の撮像装置。
【請求項４】
前記マスターレンズはズームレンズ又は固定焦点レンズとして構成されたことを特徴とする請求項２又は３に記載の撮像装置。
【請求項５】
前記本体が光源を有し、
前記第１レンズユニットが前記光源からの光を集光して出射する導光部材を有し、
前記第２レンズユニットが前記光源からの光が直線的に出射することを許容するように構成されたことを特徴とする請求項１又は２に記載の撮像装置。
【請求項６】
前記第１レンズユニットがダーモスコピー撮影に対応し、前記第２レンズユニットが臨床撮影に対応することを特徴とする請求項１から５のいずれか１項に記載の撮像装置。
【請求項７】
前記第１レンズユニットは、先端部に人体と密着させるためのカバー部材と、前記カバー部材と前記第１コンバージョンレンズの間に偏光フィルタとをさらに有することを特徴とする請求項６に記載の撮像装置。
【請求項８】
前記第１レンズユニットと前記第２レンズユニットが同時に前記光軸上に移動することを防止する防止機構をさらに備えることを特徴とする請求項１から７のいずれか１項に記載の撮像装置。
【発明の詳細な説明】
【技術分野】
【０００１】
本発明は、撮像装置に関する。
【背景技術】
【０００２】
近年、高齢化やオゾン層破壊によってメラノーマ（悪性黒色腫）などの皮膚疾患の増加が問題となっている。このような皮膚疾患の診断には、皮膚内部の色素分布や色合いを撮影できるダーモスコピーカメラと呼ばれる撮像装置が活用されている。例えば、特許文献１には、ダーモスコープの取り付け及び取り外しが可能なカメラ付携帯電話が開示されている。ダーモスコピー撮影の際には、ダーモスコープを取り付けたカメラ付携帯電話で皮膚疾患部を撮影し、通常撮影の際には、ダーモスコープを取り外したカメラ付携帯電話で皮膚疾患部を撮影する。
【０００３】
しかしながら、特許文献１に開示の発明では、ダーモスコピー撮影と臨床撮影とを切り替える際、それぞれ専用のアタッチメントをその都度取り替えたり、カメラ自体を交換したりしなければならないことにより撮影に時間を要するという問題があった。具体的には、ダーモスコピー診断を行う際、多くの皮膚科医は、下記の手順で撮影を行っている。
１）個人を特定するために、通常のカメラを用いて患者のカルテを撮影する。
２）疾患部の位置を特定するために、臨床撮影として、疾患部及びその周辺を非接触状態で撮影する。
３）ダーモスコピーカメラを用いて疾患部を接触状態で撮影する。
【０００４】
そうすると、上記のような手順で撮影を行う場合、カルテや疾患部及びその周辺を通常のカメラで撮影した後、ダーモスコピーカメラに取り替えて疾患部をダーモスコピー撮影する必要があるので、一連の撮影に手間と時間がかかるという問題があった。
【先行技術文献】
【特許文献】
【０００５】
【特許文献１】特開２００５−１９２９４４号公報
【発明の概要】
【発明が解決しようとする課題】
【０００６】
本発明は、このような事情に鑑みなされたものであり、１台の撮像装置で、ダーモスコピー撮影と臨床撮影の一連の撮影を容易にできる撮像装置を提供することを目的とする。
【課題を解決するための手段】
【０００７】
上記した課題を解決するために本発明の一態様は、撮像素子を有し、前記撮像素子に入射する光軸上の被写体を撮影する撮像装置であって、本体と、前記本体に前記光軸上位置と光軸外位置との間を移動可能に設けられ、第１画角を有する第１コンバージョンレンズを含む第１レンズユニットと、前記第１コンバージョンレンズと前記光軸上で干渉しないように、前記本体に前記光軸上位置と光軸外位置との間を移動可能に設けられ、前記第１画角とは異なる第２画角を有する第２コンバージョンレンズを含む第２レンズユニットと、を備えることを特徴とする。
本発明の他の特徴は、本明細書及び添付図面の記載により明らかにする。
【発明の効果】
【０００８】
本発明によれば、１台の撮像装置で、ダーモスコピー撮影と臨床撮影の一連の撮影を容易にできる撮像装置を提供することができる。
【図面の簡単な説明】
【０００９】
【図１】本発明の実施形態に係るダーモスコピーカメラのダーモスコピー撮影時の斜視図である。
【図２】本発明の実施形態に係るダーモスコピーカメラの撮影移行時の一部分解斜視図である。
【図３】本発明の実施形態に係るダーモスコピーカメラの臨床撮影時の斜視図である。
【図４】本発明の実施形態に係るダーモスコピーカメラのダーモスコピー撮影時の正面図である。
【図５】図４中の切断線Ｉ−Ｉで切断したダーモスコピーカメラの断面図である。
【図６】本発明の実施形態に係るダーモスコピーカメラの臨床撮影時の正面図である。
【図７】図６中の切断線ＩＩ−ＩＩで切断したダーモスコピーカメラの断面図である。
【図８】ＬＥＤから出射された光の照度分布の様子を示した概略図であり、(ａ）は図５に示す照射面における分布を、（ｂ）は図７に示す照射面における分布を、それぞれ示す。
【発明を実施するための形態】
【００１０】
以下、本発明を適用したダーモスコピーカメラの実施形態について、図面を参照しながら説明する。なお、本願明細書では、「マイクロスコープ（Microscope）：顕微鏡」及び「マイクロスコピー（Microscopy）：顕微鏡による検査又は顕微鏡使用（法）」の使い分けに準じ、「ダーモスコープ（Dermoscope）」の用語を「皮膚検査用の拡大鏡（装置）」という意味で、「ダーモスコピー（Dermoscopy）」の用語を「同拡大鏡を用いた皮膚検査又は同拡大鏡使用（行為）」という意味で用いている。
【００１１】
（ダーモスコピーカメラ１の全体構成）
本実施形態に係るダーモスコピーカメラ１は、それぞれ異なる撮影（ダーモスコピー撮影と臨床撮影）のために専用かつ最適化された２つのレンズユニットを設けて、それぞれの撮影時にそれぞれのレンズユニットが撮像素子の中心に配置されるように構成するものである。そして、ダーモスコピー撮影時にはカメラ本体に実装されたＬＥＤをレンズユニットにオーバーラップさせ、ＬＥＤ光を導光板により中央に集光させて撮影する。他方、臨床撮影時にはカメラ本体に実装されたＬＥＤよりも内側にレンズユニットを配置させ、ＬＥＤ光をそのまま直線光として離間した距離（例えば、２ｍ先）まで照射して撮影する。以下、詳しく説明する。
【００１２】
図１は、本発明を適用したダーモスコピーカメラのダーモスコピー撮影時の斜視図である。図２は、本発明を適用したダーモスコピーカメラの撮影移行時の一部分解斜視図である。図３は、本発明を適用したダーモスコピーカメラの臨床撮影時の斜視図である。図４は、本発明を適用したダーモスコピーカメラのダーモスコピー撮影時の正面図である。図５は、図４中の切断線Ｉ−Ｉで切断したダーモスコピーカメラの断面図である。図６は、本発明を適用したダーモスコピーカメラの臨床撮影時の正面図である。図７は、図６中の切断線ＩＩ−ＩＩで切断したダーモスコピーカメラの断面図である。
【００１３】
図１〜図７に示すように、ダーモスコピーカメラ１は、カメラ本体（撮像装置本体）１０と、カメラ本体１０に移動可能に設けられた第１レンズユニット２０と、第１レンズユニット２０と光学的に干渉しないようにカメラ本体１０に移動可能に設けられた第２レンズユニット６０とによって概略構成されている。以下、詳しく説明する。
【００１４】
なお、以下の説明において、図１に示すように、撮像対象側をダーモスコピーカメラ１の前方（前面、正面）、その反対側を後方とし、ダーモスコピーカメラ１を前方から見たときの上下左右方向をそのまま上下左右方向とした直交座標系に基づいて説明するものとする。また、各部材に関する取り付けは、特に言及がない限り、ネジ、ビス等を用いた取り付けや、嵌合等の取り付け等、適宜の方法で行えばよい。
【００１５】
ダーモスコピーカメラ１は、図１に示すように、第１レンズユニット２０をカメラ本体１０の前方に配置して（第１位置に配置して）ダーモスコピー撮影が可能なダーモスコピー撮影状態（第１撮影状態）と、図２に示すように、第１レンズユニット２０を上方へ回動させて臨床撮影状態へ移行させる状態（撮影移行状態）と、図３に示すように、第２レンズユニット６０をカメラ本体１０の前方に配置して（第２位置に配置して）臨床撮影が可能な臨床撮影状態（第２撮影状態）とに切り替えることができる。このように、第１レンズユニット２０と第２レンズユニット６０は、互いに光学的に干渉しないように回動させることができる。なお、臨床撮影とは、例えば皮膚疾患部を含む皮膚表面を撮影するといった一般的なカメラの使用方法による撮影を意味している。
【００１６】
（カメラ本体１０の構成について）
カメラ本体１０は、図１及び図２に示すように、筐体１１を有し、この筐体１１の内部にマスターレンズとしてズームレンズ１２、光源としての複数のＬＥＤ（Light Emitting Diode）１３ａが搭載されたＬＥＤ基板１３、光拡散板１４を有している。また、カメラ本体１０は、図５に示すように、ズームレンズ１２の後方に回路配線基板３０及び撮像素子３１といった種々の構成部品を収容している。筐体１１には、上面にシャッタボタン１８（図４参照）、右面に電源ボタン１７が設けられている。
【００１７】
さらに、筐体１１の内部には、シャッタボタン１８の操作に応じて、撮像素子３１が読み取った撮影画像を記憶する記憶部と、上述した各部を制御する制御部と、上述した各部に電源を供給するバッテリー部が設けられているが、これらの図示は省略する。
【００１８】
カメラ本体１０には、通常の撮影に用いられる公知の撮像装置、例えば市販されているデジタルカメラの構成を採用することができ、例えば、ズームレンズ１２、回路配線基板３０、及び撮像素子３１は、公知の部品を用いることができる。ズームレンズ１２は公知の光学レンズを有している。また、撮像素子３１としては、ＣＣＤ（Charge Coupled  Device）イメージセンサやＣＭＯＳ（Complementary Metal Oxide Semiconductor）イメージセンサを用いることができる。また、カメラ本体１０には、撮像した画像を表示するとともに、ダーモスコピーカメラ１の各種設定を実行するためのタッチパネル式の画面（不図示）が設けられている。
【００１９】
筐体１１には、図２に示すように、ズームレンズ１２を取り囲む、円環状の凹部からなる基板収容部１１ａが形成されている。ＬＥＤ１３ａを搭載したＬＥＤ基板１３は、基板収容部１１ａに収容される。また、筐体１１には、ＬＥＤ基板１３の前方を覆うように光拡散部としての光拡散板１４が載置されている。
【００２０】
ＬＥＤ基板１３は円環状をなし、その前面には８つのＬＥＤ１３ａが搭載されている。８つのＬＥＤ１３ａは、図２及び図４に示すように、ＬＥＤ基板１３の中心に対して同心円上に等間隔で配置されている。これにより、ＬＥＤ１３ａを搭載するＬＥＤ基板１３は、ズームレンズ１２の外周位置から光を前方に向けて出射するリングフラッシュとして機能する。ＬＥＤ１３ａは、白色光を発するＬＥＤから構成されている。
【００２１】
光拡散板１４は、例えば透光性を有する合成樹脂から構成されており、その表面に微小な凹凸が形成されている。光拡散板１４は、ＬＥＤ１３ａから出射された光を通し、拡散光として前方へと出射する。
【００２２】
ここで、カメラ本体１０の上部には、第１レンズユニット２０を回動自在に支持する回動支持部１９１が形成されている。回動支持部１９１の左右の面にはそれぞれ、第１レンズユニット２０の回動軸となる回動突起（不図示）が形成されている。また、図２及び図３に示すように、筐体１１の円環状の縁部には、ダーモスコピーカメラ１をダーモスコピー撮影状態（図１参照）にする場合に、第１レンズユニット２０とカメラ本体１０の相対的な位置決めを行うために前方に向いて突出した上下２つの係合凸部１５と、第１レンズユニット２０とカメラ本体１０の当接した状態を維持するため配置された左右２つの磁性体１６が設けられている。
【００２３】
また、カメラ本体１０の前方中央の近傍には、第２レンズユニット６０を回動自在に支持する回動支持部１９２が形成されている。回動支持部１９２の左右の面にはそれぞれ、第２レンズユニット６０の回動軸となる回動突起（不図示）が形成されている。
【００２４】
（第１レンズユニット２０の構成について）
第１レンズユニット２０は、図１から図４に示すように、円錐体の先端がカットされたような筒状体のカバー体４０、カバー体４０の先端に取り付けられカバー体４０と同様に円錐体の先端がカットされたような筒状体の先端カバー体４１と、先端カバー体４１の開口４１ｂに嵌め込まれたカバーレンズ２４と、を有している。
【００２５】
カバー体４０は、例えばポリ塩化ビニル誘導体やアクリル系樹脂などの樹脂から構成されている。カバー体４０の外形は、前方に向かうにつれて先細形状を有し、その内部は中空である。また、カバー体４０の中空部も、前方に向かうにつれて縮径した形状を有している。
【００２６】
図５に示すように、カバー体４０には第１コンバージョンレンズ２１、導光板２２が設けられており、先端カバー体４１には偏光フィルタ２３が設けられている。第１レンズユニット２０は、皮膚疾患部を拡大するためのダーモスコープとして機能する。
【００２７】
第１コンバージョンレンズ２１は、両面凸レンズであり、カメラ本体１０のズームレンズ１２と皮膚疾患部との間に介在し、撮像画像の拡大倍率を増大させる。具体的には、ズームレンズ１２の拡大倍率と合わせて、患者の疾患部を１０〜３０倍に拡大可能なレンズが採用される。第１コンバージョンレンズ２１は図示しない支持部を介して、カバー体４０の内周面に取り付けられている。第１コンバージョンレンズ２１は、皮膚疾患部の拡大に適する画角（第１画角）を有するように構成されている。
【００２８】
導光板２２は、入射した光を導光する導光板本体２２ｂと、導光板本体２２ｂの内周面に形成された反射膜２２ａと、導光板本体２２ｂの外周面に形成された反射膜２２ｃとを有している。導光板２２は、前方に向けて縮径した中空の形態を有している。導光板２２は、カバー体４０の内周面に、自身の外周面を密着させた状態で取り付けられている。導光板本体２２ｂは、例えば、アクリル等の透光性を有する合成樹脂から構成されている。導光板本体２２ｂの後方側の端面は、光入射面２２ｄを形成する。光入射面２２ｄは、ダーモスコピー撮影状態の場合に、ＬＥＤ１３ａの前方に配され、ＬＥＤ１３ａから出射された光が入射する面である。
【００２９】
一方、導光板本体２２ｂの前方側の端面は、光出射面２２ｅを形成する。光出射面２２ｅは、導光板本体２２ｂに導光された光が外部へ出射される面である。反射膜２２ａ及び反射膜２２ｃは、例えばアルミ等の金属膜であり、導光板本体２２ｂの表面から導光される光が外部に漏れるのを防止する。これにより、光入射面２２ｄから入射した光を弱めることなく、光出射面２２ｅから出射することができる。
【００３０】
先端カバー体４１は、例えばポリ塩化ビニル誘導体やアクリル系樹脂などの樹脂から構成されている。先端カバー体４１は、筒状体をなし、外周面には撮影者が指を引っ掛けるための凹部である引掛け部４１ａが複数形成されている。撮影者は、例えば先端カバー体４１をカバー体４０にねじ込むことにより、カバー体４０の先端に先端カバー体４１を装着することができる。このように、先端カバー体４１とカバー体４０とは螺号や嵌合などの公知の方法によって着脱自在な構成となっている。先端カバー体４１の先端には、カバーレンズ２４を嵌め込むための開口４１ｂが形成されている。
【００３１】
偏光フィルタ２３は、先端カバー体４１の中空部に設けられる。先端カバー体４１がカバー体４０に装着されると、偏光フィルタ２３は、導光板２２の前方に配される。偏光フィルタ２３は、導光板２２の光出射面２２ｅから出射された光を通過させる際に偏光する。偏光された光は、皮膚表面での乱反射が抑制されながら皮膚下の物質によって反射される。
【００３２】
カバーレンズ２４は、先端カバー体４１の先端に形成された開口４１ｂに嵌合されている。カバーレンズ２４は、透明の合成樹脂から構成されて、偏光フィルタ２３から出射された光を前方へ通過させるとともに、反射光をダーモスコピーカメラ１内に入射させる。また、カバーレンズ２４は、第１レンズユニット２０内を湿気やほこりから保護する。ダーモスコピー撮影時には、カバーレンズ２４は、皮膚疾患部に接触した状態にされる。
【００３３】
ここで、第１レンズユニット２０は、カバー体４０の頂部に回動部２５を有しており、前述したカメラ本体１０の頂部に設けられた回動支持部１９１に軸支されることにより、回動軸Ｒ１を中心に回動することができる。そして、第１レンズユニット２０の縁部には、ダーモスコピーカメラ１をダーモスコピー撮影状態（図１参照）にする場合に、カメラ本体１０の係合凸部１５と係合して位置決めを行う上下２つの係合凹部２０ａと、カメラ本体１０に設けられた磁性体１６と互いに磁着して当接した状態を維持する左右２つの磁性体２６が設けられている。この磁着により、第１レンズユニット２０は、ダーモスコピー撮影時にはカメラ本体１０を密閉するように固定される。他方、第１レンズユニット２０は、カメラ本体１０から開放されたときには、その開放状態を維持できるように仮固定される。ここでは図示していないが、仮固定は公知の構成によって達成できる。例えば回動部２５に突起を、カメラ本体１０の回動支持部１９１に対応する切欠きをそれぞれ設けておくようにしてもよい。
【００３４】
ダーモスコピー撮影時には、導光板２２を含むズームレンズ１２を撮像素子３１の中心に配置し、ＬＥＤ１３ａを点灯させて導光板２２により撮影面にＬＥＤ光を集光させてダーモスコピー撮影を可能にする。ダーモスコピー撮影時から臨床撮影に切り替えるときは、第１回動軸Ｒ１を中心に第１レンズユニット２０を上方部に移動（回動）させる。
【００３５】
（第２レンズユニット６０の構成について）
第２レンズユニット６０は、図１から図４に示すように、矩形の支持体６１と、支持体６１の先端の開口６２ａに嵌め込まれた第２コンバージョンレンズ６２と、を有している。支持体６１は、例えばポリ塩化ビニル誘導体やアクリル系樹脂などの樹脂から構成されている。第２レンズユニット６０は、皮膚疾患部を含む皮膚表面を撮影するといった一般的なカメラの使用方法による臨床撮影として機能する。
【００３６】
ここで、第２レンズユニット６０は、支持体６１の基部に回動部６３を有しており、前述したカメラ本体１０の前方中央の近傍に設けられた回動支持部１９２に軸支されることにより、第２回動軸Ｒ２を中心に回動することができる。これらにより、第２レンズユニット６０はカメラ本体１０に対し回動可能となるが、ダーモスコピー撮影時及び臨床撮影時ともに、その状態を維持できるように仮固定される。ここでは図示していないが、仮固定は公知の構成によって達成できる。例えば回動部６３に突起を、カメラ本体１０の回動支持部１９２に対応する切欠きをそれぞれ設けておくようにしてもよい。第１レンズユニット２０と第２レンズユニット６０は互いに光学的に干渉しないように回動させることができることを前述したが、具体的には、第１レンズユニット２０の第１コンバージョンレンズ２１と第２レンズユニット６０の第２コンバージョンレンズ６２が、光軸上で干渉しないようにカメラ本体１０にそれぞれ移動可能に設けられている。
【００３７】
すなわち、撮像素子３１に入射する光軸上の被写体を撮影するにあたって、第１レンズユニット２０は、その第１コンバージョンレンズ２１がカメラ本体１０に対して光軸上位置と光軸外位置との間を移動可能となるように設けられるとともに、第２レンズユニット６０は、その第２コンバージョンレンズ６２が第１レンズユニット２０の第１コンバージョンレンズ２１と光軸上で干渉しないように、カメラ本体１０に対して光軸上位置と光軸外位置との間を移動可能に設けられている。そして、第１レンズユニット２０と第２レンズユニット６０はそれぞれ、前述したように、カメラ本体１０の頂部に位置する第１回動軸Ｒ１とカメラ本体１０の前方中央近傍に位置する第２回動軸Ｒ２によって各別に回動することから、ダーモスコピー撮影状態では閉鎖されている（すなわち、光軸上に位置している）第１レンズユニット２０が第２レンズユニット６０の閉鎖を防止し、臨床撮影状態では閉鎖されている（すなわち、光軸上に位置している）第２レンズユニット６０が第１レンズユニット２０の閉鎖を防止する。この防止機構によって、第１レンズユニット２０と第２レンズユニット６０は、同時に光軸上に位置することが防止されることとなる。
【００３８】
臨床撮影時には第１レンズユニット２０が回動した方向と反対側から臨床撮影用の第２レンズユニット６０が回動して撮像素子３１の中心に配置されて臨床撮影を行う。この時に、臨床撮影用の第２コンバージョンレンズ６２は径が小さく設計されており、カメラ本体１０に設けられたＬＥＤ１３ａはそのまま直線光となり、手元〜２ｍ先を照射する。第２コンバージョンレンズ６２は、皮膚疾患部を含む皮膚表面を広く撮影するのに適する画角（第２画角）を有するように構成されている。第２レンズユニット６０の第２コンバージョンレンズ６２の第２画角は、第１レンズユニット２０の第１コンバージョンレンズ２１の第１画角よりも広角に設定される。
【００３９】
（ダーモスコピー撮影時におけるＬＥＤ光の進行について）
図５は、図４に示すダーモスコピー撮影時におけるダーモスコピーカメラ１の断面図である。ＬＥＤ１３ａから出射された光は、光拡散板１４を通過し、光入射面２２ｄから導光板本体２２ｂに入射する。導光板本体２２ｂに入射した光は、矢印Ｌ１，Ｌ２で示すように、反射膜２２ａ、及び反射膜２２ｃで反射されながら導光板本体２２ｂ内部で導光される。これにより導光される光は、先端に向かうにつれて第１レンズユニット２０の中央に集光されていく。やがて、導光板本体２２ｂ内部で導光された光は、矢印Ｌ３に示すように、光出射面２２ｅから出射され、偏光フィルタ２３を通過する。偏光フィルタ２３により偏光された光は、矢印Ｌ４に示すように、カバーレンズ２４を通り前方へと出射される。
【００４０】
（臨床撮影時におけるＬＥＤ光の進行について）
図７は、図６に示す臨床撮影時におけるダーモスコピーカメラ１の断面図である。ＬＥＤ１３ａから出射された光は、光拡散板１４を通り、矢印Ｌ５に示すように、拡散光として前方へと直線的に出射される。このような光を出射するＬＥＤ１３ａは、ズームレンズ１２の外側に設けられた円周上に等間隔で配置されており、ズームレンズ１２と略同一平面内に配置されている。なお、図７では、ズームレンズ１２の下方にあるＬＥＤ１３ａから出射された光については、第２レンズユニット６０に遮られることから光の矢印Ｌ５を記載していないが、図２ほかに示した他のＬＥＤ１３ａからの光は前方へと直線的に矢印Ｌ５に示すように出射されている。
【００４１】
（ＬＥＤ光の照度分布について）
次に、ダーモスコピーカメラ１のＬＥＤ１３ａから出射された光の照度分布について説明する。図８は、ＬＥＤから出射された光の照度分布の様子を示した概略図であり、図８（ａ）は図５に示す照射面における分布図、図８（ｂ）は図７に示す照射面における分布図である。ここで、図５に示す照射面５１は、ダーモスコピー撮影時における皮膚疾患部の表面位置に相当する。また、図７に示す照射面５２は、臨床撮影時における皮膚疾患部の表面位置に相当する。照射面５２は、例えば、ダーモスコピーカメラ１から１メートル離間した位置にある。なお、図８の各図においては、照度が高い領域ほど、白色に近い色で塗りつぶしてある。
【００４２】
上述したように、ダーモスコピー撮影時においては、ＬＥＤ１３ａから出射された光は、先端に向かうにつれてカバー体４０の中央に向けて導光される。そのため、カバーレンズ２４から出射される光は、ＬＥＤ１３ａからの光が集光された強い光となる。また、ダーモスコピー撮影時には、カバーレンズ２４は皮膚疾患部に接触した状態にある。そのため、図８（ａ）に示すように、皮膚疾患部の表面に相当する照射面５１に光が強く照射される照射領域５１ａが形成され、その外側に光が照射されない非照射領域５１ｂが形成される。この照射領域５１ａの大きさは、カバーレンズ２４（図５参照）の大きさとおおよそ同じである。このように、ダーモスコピー撮影時において、導光板２２によって集光された強い光を皮膚疾患部に照射することができる。そのため、皮膚下の物質に光を照射、反射させることができ、ダーモスコピー画像を撮影することができる。
【００４３】
一方、臨床撮影時においては、図７に示すように、同心円上に等間隔で設けられたＬＥＤ１３ａからの光は光拡散板１４により拡散されて前方へと出射される。これにより、照射面５２に到達する光の照射範囲は、ダーモスコピー撮影時よりも広くなる一方、照射する光の強さは弱くなる。例えば、臨床撮影時においては、図８（ｂ）に示すように、照射面５２に、照射領域５１ａよりも面積が大きいが低い照度の照射領域５２ａと、照射領域５２ａよりも面積が大きく照度が低い照射領域５２ｂと、照射領域５２ｂよりも面積が大きく照度が低い照射領域５２ｃと、その外側に光が照射されない非照射領域５２ｄが形成される。このことから、臨床撮影時には、皮膚疾患部を中心として広範囲に光を照射することができる。また、臨床撮影時には、ダーモスコピー撮影時よりも照度の低い照明での撮影が可能であることから、皮膚疾患部を含めた広い範囲を臨床撮影することができる。
【００４４】
（ダーモスコピーカメラ１の使用例）
ダーモスコピーカメラ１を用いてダーモスコピー撮影を行う場合、撮影者は、図１に示すように、第１レンズユニット２０を図中下方向Ｄ１０に回動させて、カメラ本体１０に第１レンズユニット２０を当接させた第１位置に移動させる。その際、カメラ本体１０に形成された係合凸部１５（図２参照）を第１レンズユニット２０に形成された係合凹部２０ａに挿入させるとともに、カメラ本体１０の磁性体１６と第１レンズユニット２０の磁性体２６とを磁着させる。これにより、カメラ本体１０の前方を第１レンズユニット２０で覆ったダーモスコピー撮影状態を保持することができる。このとき、第２レンズユニット６０は、図中下方向Ｄ６０に回動させておく。
【００４５】
そして、撮影者は、電源ボタン１７を押して電源を入れ、例えばシャッタボタン１８を半押しすることによりＬＥＤ１３ａを発光させる。そして、皮膚疾患部にカバーレンズ２４を接触させる。これにより、偏光フィルタ２３により偏光されカバーレンズ２４から出射される光は、皮膚疾患部の表面での乱反射を抑制しながら皮膚下に到達し、皮膚下の物質によって反射される。この反射光は、カバーレンズ２４及び偏光フィルタ２３を介してダーモスコピーカメラ１内に取り込まれる。取り込まれた光は、第１コンバージョンレンズ２１及びズームレンズ１２を介して１０〜３０倍に拡大され、カメラ本体１０の撮像素子３１上に結像される。任意のタイミングでカメラ本体１０のシャッタボタン１８を全押しすると、撮像素子３１が読み取った撮像画像がカメラ本体１０の記憶部に記憶される。このように記憶された撮像画像は、例えば、色素細胞母斑、悪性黒色腫、脂漏性角化症、基底細胞癌、血管病変及びボーエン病などの検査、及び診断に用いることができる。
【００４６】
続いて、ダーモスコピーカメラ１を用いて臨床撮影を行う場合、撮影者は、図３に示すように、第１レンズユニット２０を図中上方向Ｕ１０に回動させ、カメラ本体１０の前方から第１レンズユニット２０を移動させて、カメラ本体１０の前方を開放する。そして、撮影者は、第２レンズユニット６０を図中上方向Ｕ６０に回動させて第２位置に配置し、皮膚疾患部から所定距離離間させて、ズームレンズ１２を皮膚疾患部に向ける。続いて、撮影者は、例えばシャッタボタン１８を半押しすることによりＬＥＤ１３ａを発光させる。ＬＥＤ１３ａから出射された光は、拡散光となって、皮膚疾患部を中心とした広い範囲を照射する。照射した光は、皮膚疾患部の表面で反射され、ズームレンズ１２に取り込まれて、カメラ本体１０の撮像素子３１上に結像される。任意のタイミングでカメラ本体１０のシャッタボタン１８を全押しすると、撮像素子３１が読み取った撮像画像がカメラ本体１０の記憶部に記憶される。
【００４７】
（実施形態の効果について）
以上説明したように、本実施形態に係るダーモスコピーカメラ１においては、カメラ本体１０の前面を第１レンズユニット２０で覆った状態でダーモスコピー撮影ができるとともに、第２レンズユニット６０で覆った状態で臨床撮影をすることができる。そして、ダーモスコピー撮影と臨床撮影との切り替えを、カメラ本体１０の回動可能に取り付けられた第１レンズユニット２０と第２レンズユニット６０を回動させることだけで実現することができる。これにより、１台のダーモスコピーカメラ１において、ダーモスコピー撮影と臨床撮影とを容易に切り替えることができる。
【００４８】
ダーモスコピー撮影時に、ＬＥＤ１３ａから出射された光を導光し集光する導光板２２を、第１レンズユニット２０の内部に設けている。この導光板２２により、ＬＥＤ１３ａから出射された光を弱めることなくダーモスコピーカメラ１から集光して出射することができる。これにより、鮮明なダーモスコピー画像を得ることができる。
【００４９】
ズームレンズ１２の外側の円周上に、等間隔でＬＥＤ１３ａを配置することで、臨床撮影時において、皮膚疾患部を中心として広範囲に光を直線的に照射することができる。さらに、ＬＥＤ１３ａの前方に光拡散板１４を設置することによっても、臨床撮影時に広範囲に光を照射することができる。これにより、臨床撮影時に、皮膚疾患部とその周辺を含めた広い範囲の画像を撮影することができる。
【００５０】
第１レンズユニット２０に導光板２２を設けることにより、ダーモスコピー撮影時及び臨床撮影時における光の照射を、共通のＬＥＤ１３ａによって実現することができる。これにより、異なる撮影に合わせて複数種類の光源を設ける必要はなく、ダーモスコピーカメラ１の構成を簡略化することができる。さらに、ダーモスコピー撮影及び臨床撮影を１台のダーモスコピーカメラ１で実現できることから、撮影媒体も１媒体に集約され、かつ、撮影によってカメラを代える必要が無いために診療時間の短縮が可能になる。
【００５１】
（実施形態の変形について）
本実施形態は上述した態様に限定されず、様々な変形及び応用が可能である。上述の実施形態では、カメラ本体１０に対して第１レンズユニット２０及び第２レンズユニット６０を回動させることで、ダーモスコピー撮影と臨床撮影とを切り替える形態について説明したが、第１レンズユニット２０及び第２レンズユニット６０の移動態様は、このような回動だけでなく、例えば、カメラ本体１０に対してスライドさせる態様であってもよい。ダーモスコピー撮影の際は、ズームレンズ１２の前方を第１レンズユニット２０で覆うように配置し、臨床撮影の際は、第２レンズユニット６０をスライドさせてズームレンズ１２の前方を覆うようにすればよい。なお、マスターレンズとしてのズームレンズ１２は、ダーモスコピーカメラ１の用途等を勘案して、固定焦点レンズとして構成しても差し支えない。また、第１レンズユニット２０と第２レンズユニット６０は、第１レンズユニット２０の第１コンバージョンレンズ２１と第２レンズユニット６０の第２コンバージョンレンズ６２が光軸上で干渉しないようにカメラ本体１０にそれぞれ移動可能であれば、第１レンズユニット２０と第２レンズユニット６０が構造的に重層するような配置となっていても差し支えない。
【００５２】
また、ダーモスコピー撮影に際して、偏光作用を有するジェルを皮膚疾患部に塗布して撮影する場合には、先端カバー体４１に設けた偏光フィルタ２３は省略することができる。なお、偏光フィルタ２３を有する先端カバー体４１と偏光フィルタ２３を有しない先端カバー体４１とを準備しておくことで、ダーモスコピー撮影時の撮影対応を状況に応じて選択することができる。
【００５３】
また、上記実施形態では、光源は、円周上に配されたＬＥＤ１３ａであると説明したが、他の光源を採用してもよい。例えば、ハロゲンランプなどの高輝度ライト、半導体発光素子、及び有機エレクトロルミネッセンスなどの発光素子を用いることができる。さらに、撮像素子３１の感度がよく照明無しで撮影できるような場合には、光源のＬＥＤ１３ａを設けないようにすることもできる。
【００５４】
また、ＬＥＤ１３ａは、白色光を発するＬＥＤから構成されていると説明したが、例えば紫外線光源、青色光光源、あるいは緑色光光源を採用してもよい。また発する光の色が互いに異なる光源を設けるようにして、異なる色の光源ごとに独立して発光できる態様であってもよい。このように、異なる色の光を照射して撮像画像を得ることで、異なる像をえることができ、異なる像を比較したり、像を重ね合わせたりすることで、皮膚疾患部の検査及び診断を容易なものとすることができる。
【００５５】
また、上記実施形態では、ＬＥＤ１３ａの前方に光拡散板１４を設置したが、臨床撮影時に、照射面５２（図７参照）に広範囲に光を照射可能な光源を採用して、光拡散板１４を省略してもよい。また、光拡散板１４の代わりに、入射した光をそのまま透過する透明板を設置してもよい。
【００５６】
また、ダーモスコピー撮影時には、カバーレンズ２４は、皮膚疾患部に接触した状態にされると説明した。しかしながら、十分な照度の光を照射できるのであれば、カバーレンズ２４を皮膚疾患部に近づけることで、ダーモスコピー撮影が可能である。この場合、ダーモスコピー撮影後の洗浄作業が不要となり、診療時間の短縮を図ることができる。
【００５７】
また、第１コンバージョンレンズ２１、第２コンバージョンレンズ６２は、一つの両面凸レンズであると説明したが、他の形態のものも採用することができる。例えば、第１コンバージョンレンズ２１、第２コンバージョンレンズ６２は、２つ又は複数の凸レンズを組み合わせたレンズ、１つのアクロマートレンズ、２つ又は複数のアクロマートレンズを組み合わせたいずれかであってもよい。また、第１コンバージョンレンズ２１、第２コンバージョンレンズ６２は、無収差レンズであってもよいし、球面レンズに非球面レンズを組み込んだものでもよい。また、これらのレンズが、反射防止膜やカラーフィルタを含むものであってもよい。
【００５８】
また、第１レンズユニット２０に、ＬＥＤ１３ａからの光を先端に向けて集光する導光部材としての導光板２２を設置したが、導光板２２の代わりに他の公知の導光部材を設けるようにしてもよい。例えば、先端に向けて光を導光する光ファイバーを設けてもよい。
【００５９】
また、本実施形態に係る撮像装置は、上記実施形態で説明したダーモスコピーカメラ１のように、ダーモスコピー撮影状態と臨床撮影状態との切り替え可能な撮像装置に限定されない。また、被写体としても皮膚疾患部に限定されない。例えば、構造物等に形成された穴の内部に光を照射して、光を照射した穴の内部を拡大して撮影する撮影状態（第１レンズユニット２０をカメラ本体１０の前方に位置させた状態）と、穴から離間した位置から穴の周辺を含めた範囲を撮影する撮影状態（第１レンズユニット２０をカメラ本体１０の前方から開放して第２レンズユニット６０を前方に位置させた状態）とを切り替え可能な撮像装置等にも、本発明を適用することができる。
【００６０】
また、上記のダーモスコピーカメラ１においては、カメラ本体１０に、シャッタボタン１８や、ダーモスコピーカメラ１の各種設定を実行するためのタッチパネル式の画面（不図示）が設けられていると説明した。しかしながら、シャッタボタン１８やタッチパネル式の画面（不図示）等の操作受付部を、カメラ本体とは物理的に分離した操作部に設けるようにしてもよい。カメラ本体と操作部とは、既存の通信技術を用いて双方向に通信可能である。撮影者は、操作部を操作することにより、カメラ本体の各種設定やシャッタ操作等を行うことができる。また、第１レンズユニット２０と第２レンズユニット６０の移動に連動させて、ダーモスコピー撮影をしたか臨床撮影をしたかを撮影画像にフラグとして記録するようにしてもよい。
【００６１】
以下に、この出願の願書に最初に添付した特許請求の範囲に記載した発明を付記する。付記に記載した請求項の項番は、この出願の願書に最初に添付した特許請求の範囲のとおりである。
［請求項１］
撮像素子を有し、前記撮像素子に入射する光軸上の被写体を撮影する撮像装置であって、
本体と、
前記本体に前記光軸上位置と光軸外位置との間を移動可能に設けられ、第１画角を有する第１コンバージョンレンズを含む第１レンズユニットと、
前記第１コンバージョンレンズと前記光軸上で干渉しないように、前記本体に前記光軸上位置と光軸外位置との間を移動可能に設けられ、前記第１画角とは異なる第２画角を有する第２コンバージョンレンズを含む第２レンズユニットと、を備えることを特徴とする撮像装置。
［請求項２］
前記本体がマスターレンズを有することを特徴とする請求項１に記載の撮像装置。
［請求項３］
前記第１コンバージョンレンズは、前記マスターレンズと被写体の間に介在し、前記撮像素子による撮像画像の拡大倍率を増大させ、前記第２コンバージョンレンズは、前記第１コンバージョンレンズと排他的に前記マスターレンズと被写体の間に介在し、前記マスターレンズの拡大倍率を広角化させることを特徴とする請求項２に記載の撮像装置。
［請求項４］
前記マスターレンズはズームレンズ又は固定焦点レンズとして構成されたことを特徴とする請求項２又は３に記載の撮像装置。
［請求項５］
前記本体が光源を有し、
前記第１レンズユニットが前記光源からの光を集光して出射する導光部材を有し、
前記第２レンズユニットが前記光源からの光が直線的に出射することを許容するように構成されたことを特徴とする請求項１又は２に記載の撮像装置。
［請求項６］
前記第１レンズユニットがダーモスコピー撮影に対応し、前記第２レンズユニットが臨床撮影に対応することを特徴とする請求項１から５のいずれか１項に記載の撮像装置。
［請求項７］
前記第１レンズユニットは、先端部に人体と密着させるためのカバー部材と、前記カバー部材と第１コンバージョンレンズの間に偏光フィルタとをさらに有することを特徴とする請求項６に記載の撮像装置。
［請求項８］
前記第１レンズユニットと前記第２レンズユニットが同時に前記光軸上に移動することを防止する防止機構をさらに備えることを特徴とする請求項１から７のいずれか１項に記載の撮像装置。
【符号の説明】
【００６２】
１…ダーモスコピーカメラ
１０…カメラ本体、１１…筐体、１１ａ…基板収容部、１２…ズームレンズ、１３…ＬＥＤ基板、１３ａ…ＬＥＤ、１４…光拡散板、１５…係合凸部、１６…磁性体、１７…電源ボタン、１８…シャッタボタン、１９１，１９２…回動支持部
２０…第１レンズユニット、２０ａ…係合凹部、２１…コンバージョンレンズ、２２…導光板、２２ａ，２２ｃ…反射膜、２２ｂ…導光板本体、２２ｄ…光入射面、２２ｅ…光出射面、２３…偏光フィルタ、２４…カバーレンズ、２５…回動部、２６…磁性体
３０…回路配線基板、３１…撮像素子
４０…カバー体、４１…先端カバー体、４１ａ…引掛け部、４１ｂ…開口
５１，５２…照射面、５１ａ，５２ａ，５２ｂ，５２ｃ…照射領域、５１ｂ，５２ｄ…非照射領域
６０…第２レンズユニット、６１…支持体、６２…コンバージョンレンズ、６２ａ…開口、６３…回動部
【図１】
2019061140.tif 000003
【図２】
2019061140.tif 000004
【図３】
2019061140.tif 000005
【図４】
2019061140.tif 000006
【図５】
2019061140.tif 000007
【図６】
2019061140.tif 000008
【図７】
2019061140.tif 000009
【図８】
2019061140.tif 000010